【手続補正書】
【提出日】平成18年8月28日(2006.8.28)
【手続補正１】
【補正対象書類名】特許請求の範囲
【補正対象項目名】全文
【補正方法】変更
【補正の内容】
【特許請求の範囲】
【請求項１】
インクを用いて媒体に記録を行う複数のインク吐出部と、
前記インク吐出部によって形成されたパターンを検出するセンサとを備え、
前記複数のインク吐出部が形成した吐出検査用パターンを前記センサが検出し、
前記センサの検出結果に基づいて、前記複数のインク吐出部の吐出検査を行う
吐出検査装置であって、
前記吐出検査を行う前に、前記吐出検査用パターンと構成を同じくする他のパターンを前記センサが検出し、
その検出結果を用いて、前記吐出検査が行われる
ことを特徴とする吐出検査装置。
【請求項２】
請求項１に記載の吐出検査装置であって、
前記他のパターンは、前記複数のインク吐出部の所定のインク吐出部からインクを吐出せずに作成されたパターンであることを特徴とする吐出検査装置。
【請求項３】
請求項１又は２に記載の吐出検査装置であって、
前記吐出検査用パターンは、前記インクにより前記媒体の所定の領域を塗りつぶしたパターンであり、
前記他のパターンは、前記吐出検査用パターンの所定の領域に空白のパターンを形成したパターンであることを特徴とする吐出検査装置。
【請求項４】
請求項１〜３のいずれかに記載の吐出検査装置であって、
前記吐出検査用パターンは、前記複数のインク吐出部が前記媒体にパターン片をそれぞれ形成して形成されたパターンであり、
前記他のパターンは、前記吐出検査用パターンの所定のパターン片が抜けたパターンであることを特徴とする吐出検査装置。
【請求項５】
請求項１〜４のいずれかに記載の吐出検査装置であって、
搬送方向に前記媒体を搬送する搬送ユニットを更に備え、
前記搬送ユニットが前記媒体を搬送しているときに、前記他のパターンを前記センサが検出することを特徴とする吐出検査装置。
【請求項６】
請求項５に記載の吐出検査装置であって、
前記他のパターンを前記センサが検出し、その検出結果に基づいて、前記搬送ユニットを制御することを特徴とする吐出検査装置。
【請求項７】
請求項５又は６に記載の吐出検査装置であって、
前記他のパターンを前記センサが検出し、その検出結果に基づいて、前記インク吐出部が前記吐出検査用パターンを形成してから前記センサが前記吐出検査用パターンを検査するまで間の搬送量が制御されることを特徴とする吐出検査装置。
【請求項８】
請求項５〜７のいずれかに記載の吐出検査装置であって、
前記センサが前記媒体に対して相対的に移動しているときに前記センサが前記吐出検査用パターンを検出することによって、前記吐出検査が行われるものであり、
前記他のパターンを検出するときの前記センサと前記媒体との相対的な移動速度は、前記吐出検査用パターンを検出するときの前記センサと前記媒体との相対的な移動速度よりも、遅いことを特徴とする吐出検査装置。
【請求項９】
請求項５〜８のいずれかに記載の吐出検査装置であって、
前記センサが前記媒体に対して相対的に移動しているときに前記センサが前記吐出検査用パターンを検出することによって、前記吐出検査が行われるものであり、
前記吐出検査を行う前に、前記他のパターンを前記センサが検出し、
その検出結果に基づいて、前記センサと前記他のパターンとの位置を調整し、
前記センサが前記媒体に対して移動しているときに、前記他のパターンを前記センサが検出することを特徴とする吐出検査装置。
【請求項１０】
請求項１〜９のいずれかに記載の吐出検査装置であって、
前記センサが前記媒体に対して相対的に移動しているときに、前記他のパターンを前記センサが検出することを特徴とする吐出検査装置。
【請求項１１】
請求項１０に記載の吐出検査装置であって、
前記他のパターンを前記センサが検出し、その検出結果を用いて、前記吐出検査用パターンを検出したときに不吐出ノズルを特定することを特徴とする吐出検査装置。
【請求項１２】
請求項１０又は１１に記載の吐出検査装置であって、
前記センサが前記媒体に対して相対的に移動しているときに前記センサが前記吐出検査用パターンを検出することによって、前記吐出検査が行われるものであり、
前記他のパターンを検出するときの前記センサの移動速度は、前記吐出検査用パターンを検出するときの前記センサの移動速度と同じ速度であることを特徴とする吐出検査装置。
【請求項１３】
請求項８又は１２に記載の吐出検査装置であって、
前記センサは、ローパスフィルタを有することを特徴とする吐出検査装置。
【請求項１４】
インクを用いて媒体に記録を行う複数のインク吐出部と、
前記インク吐出部によって形成されたパターンを検出するセンサとを備え、
前記複数のインク吐出部が形成した吐出検査用パターンを前記センサが検出し、
前記センサの検出結果に基づいて、前記複数のインク吐出部の吐出検査を行う
吐出検査装置であって、
前記吐出検査を行う前に、前記吐出検査用パターンと構成を同じくする他のパターンを前記センサが検出し、
その検出結果を用いて、前記吐出検査が行われ、
前記他のパターンは、前記複数のインク吐出部の所定のインク吐出部からインクを吐出せずに作成されたパターンであり、
前記吐出検査用パターンは、前記インクにより前記媒体の所定の領域を塗りつぶしたパターンであり、前記他のパターンは、前記吐出検査用パターンの所定の領域に空白のパターンを形成したパターンであり、
前記吐出検査用パターンは、前記複数のインク吐出部が前記媒体にパターン片をそれぞれ形成して形成されたパターンであり、前記他のパターンは、前記吐出検査用パターンの所定のパターン片が抜けたパターンであり、
搬送方向に前記媒体を搬送する搬送ユニットを更に備え、前記搬送ユニットが前記媒体を搬送しているときに、前記他のパターンを前記センサが検出し、
前記他のパターンを前記センサが検出し、その検出結果に基づいて、前記搬送ユニットを制御し、
前記他のパターンを前記センサが検出し、その検出結果に基づいて、前記インク吐出部が前記吐出検査用パターンを形成してから前記センサが前記吐出検査用パターンを検査するまで間の搬送量が制御され、
前記センサが前記媒体に対して相対的に移動しているときに前記センサが前記吐出検査用パターンを検出することによって、前記吐出検査が行われるものであり、前記他のパターンを検出するときの前記センサと前記媒体との相対的な移動速度は、前記吐出検査用パターンを検出するときの前記センサと前記媒体との相対的な移動速度よりも、遅く、
前記センサが前記媒体に対して相対的に移動しているときに前記センサが前記吐出検査用パターンを検出することによって、前記吐出検査が行われるものであり、前記吐出検査を行う前に、前記他のパターンを前記センサが検出し、その検出結果に基づいて、前記センサと前記他のパターンとの位置を調整し、前記センサが前記媒体に対して相対的に移動しているときに、前記他のパターンを前記センサが検出し、
前記センサが前記媒体に対して相対的に移動しているときに、前記他のパターンを前記センサが検出し、
前記他のパターンを前記センサが検出し、その検出結果を用いて、前記吐出検査用パターンを検出したときに不吐出ノズルを特定し、
前記センサが前記媒体に対して相対的に移動しているときに前記センサが前記吐出検査用パターンを検出することによって、前記吐出検査が行われるものであり、前記他のパターンを検出するときの前記センサの移動速度は、前記吐出検査用パターンを検出するときの前記センサの移動速度と同じ速度であり、
前記センサは、ローパスフィルタを有する
ことを特徴とする吐出検査装置。
【請求項１５】
複数のインク吐出部が媒体に吐出検査用パターンを形成し、
センサが前記吐出検査用パターンを検出し、
前記センサの検出結果に基づいて、前記複数のインク吐出部の吐出検査を行う吐出検査方法であって、
前記吐出検査を行う前に、前記複数のインク吐出部が、前記吐出検査用パターンと構成を同じくする他のパターンを前記媒体に形成し、
前記センサが前記他のパターンを検出し、
その検出結果を用いて、前記吐出検査を行う
ことを特徴とする吐出検査方法。
【請求項１６】
インクを用いて媒体に記録を行う複数のインク吐出部と、
前記インク吐出部によって形成されたパターンを検出するセンサとを備えた吐出検査装置に、
前記複数のインク吐出部が形成した吐出検査用パターンを前記センサが検出する機能と、
前記センサの検出結果に基づいて、前記複数のインク吐出部の吐出検査を行う
機能と
を実現させるプログラムであって、
前記吐出検査を行う前に、前記吐出検査用パターンと構成を同じくする他のパターンを前記センサが検出する機能と、
その検出結果を用いて、前記吐出検査を行う機能と
を実現させるプログラム。
【請求項１７】
プリンタ本体と印刷装置とを備えた印刷システムであって、
前記印刷装置は、
インクを用いて媒体に記録を行う複数のインク吐出部と、
前記インク吐出部によって形成されたパターンを検出するセンサとを備え、
前記複数のインク吐出部が形成した吐出検査用パターンを前記センサが検出し、
前記センサの検出結果に基づいて、前記複数のインク吐出部の吐出検査を行う
印刷装置であって、
前記吐出検査を行う前に、前記吐出検査用パターンと構成を同じくする他のパターンを前記センサが検出し、
その検出結果を用いて、前記吐出検査が行われる
ことを特徴とする印刷システム。
【手続補正２】
【補正対象書類名】明細書
【補正対象項目名】０００６
【補正方法】変更
【補正の内容】
【０００６】
上記目的を達成するための主たる発明は、インクを用いて媒体に記録を行う複数のインク吐出部と、前記インク吐出部によって形成されたパターンを検出するセンサとを備え、前記複数のインク吐出部が形成した吐出検査用パターンを前記センサが検出し、前記センサの検出結果に基づいて、前記複数のインク吐出部の吐出検査を行う吐出検査装置であって、前記吐出検査を行う前に、前記吐出検査用パターンと構成を同じくする他のパターンを前記センサが検出し、その検出結果を用いて、前記吐出検査が行われることを特徴とする。
本発明の他の特徴については、本明細書及び添付図面の記載により明らかにする。